(57)【要約】【課題】ドレンパンに菌やカビの繁殖を抑制する薬剤を練りこんだ樹脂成形品を着脱自在に設けることにより、ドレンパン内の菌の繁殖を抑え、ドレンポンプの詰りを解消し、清潔な空気調和機を提供する。【解決手段】この発明に係る空気調和機は、熱交換器と、熱交換器から発生する凝縮水を受けるドレンパン５と、ドレンパン５に溜まったドレン水６を排出するドレンポンプ４とを備えた空気調和機において、ドレンパン５は、ドレンポンプ４の下方にドレン排水口２ａが形成されたドレンソケット２を有し、母材に抗菌成分を所定の重量比で練り込んだ抗菌剤含有成形品１を、ドレンポンプ４に近接して、ドレンソケット２に着脱自在に取り付けたことを特徴とする。【選択図】図４
2010014294.tif 000002
【特許請求の範囲】
【請求項１】
熱交換器と、熱交換器から発生する凝縮水を受けるドレンパンと、ドレンパンに溜まったドレン水を排出するドレンポンプとを備えた空気調和機において、
前記ドレンパンは、前記ドレンポンプの下方にドレン排水口が形成されたドレンソケットを有し、
母材に抗菌成分を所定の重量比で練り込んだ抗菌剤含有成形品を、前記ドレンポンプに近接して、前記ドレンソケットに着脱自在に取り付けたことを特徴とする空気調和機。
【請求項２】
前記抗菌剤含有成形品は、板状の基台の上にフィン形状部が立設していることを特徴とする請求項１記載の空気調和機。
【請求項３】
前記抗菌剤含有成形品は、板状の基台の上にフィン形状部が略垂直に立設していることを特徴とする請求項２記載の空気調和機。
【請求項４】
前記抗菌剤含有成形品の前記基台の前記ドレンポンプ側の一辺に、内側に凹む逃がし部を設けることを特徴とする請求項１乃至３のいずれかに記載の空気調和機。
【請求項５】
前記抗菌剤含有成形品は、前記ドレンポンプの停止中は略全体が前記ドレン水に漬かり、前記ドレンポンプの運転中は抗菌剤含有成形品の一部が前記ドレン水に漬かるようにすることを特徴とする請求項１乃至４のいずれかに記載の空気調和機。
【請求項６】
前記抗菌剤含有成型品は抗菌成分であるＰＨＭＧ（ポリヘキサメチルグアニジンリン酸塩）を母材であるＰＥ（ポリエチレン）に所定の重量比で練り込んでいることを特徴とする請求項１乃至５のいずれかに記載の空気調和機。
【請求項７】
当該空気調和機の運転の制御を行う制御部を備えると共に、前記ドレンポンプに接続して前記ドレン水を当該空気調和機の外部に排出するドレン配管を備え、
前記制御部は、冷房運転停止後の所定時間経過後に、前記ドレンポンプを所定時間運転して前記抗菌剤含有成形品から溶出する前記抗菌成分を含む前記ドレン水を前記ドレンパンから前記ドレン配管内に送り込み、その後前記ドレンポンプを停止して、前記ドレン配管から前記ドレンポンプを経由して前記ドレン水を前記ドレンパンに戻すことを特徴とする請求項１乃至６のいずれかに記載の空気調和機。
【発明の詳細な説明】
【技術分野】
【０００１】
この発明は、熱交換器と、熱交換器から発生する凝縮水を受けるドレンパンと、ドレンパンに溜まったドレン水を排出するドレンポンプとを備えた空気調和機（室内機）に関する。詳しくは、ドレンポンプの詰まりの原因となる菌やカビを、抗菌剤により細菌の繁殖を抑制することでドレンポンプの詰まりが生じないようにする技術に関する。
【背景技術】
【０００２】
従来の空気調和機では、熱交換器において凝縮された水分がドレン水となってドレンパンに貯留され、ドレン水はドレンポンプでドレン配管を通して機外に排水される。ドレンパンは水受部が水漏れし難いＡＢＳ樹脂（アクリロニトリル（Ａｃｒｙｌｏｎｉｔｒｉｌｅ）、ブタジエン（Ｂｕｔａｄｉｅｎｅ）、スチレン（Ｓｔｙｒｅｎｅ）共重合合成樹脂）等で形成されている。
【０００３】
ドレン水には空気中菌やカビが入り込み、繁殖しやすく、繁殖によりそれ自身の粘性や生成物により、ドレンポンプが詰り排水不良を引き起こすことがある。このため、ドレンパンに菌やカビの繁殖を抑制する薬剤を練りこんだり、塗布することで菌やカビの繁殖を抑制していた。
【特許文献１】特開平９−５３８３７号公報
【特許文献２】実開平４−７８４１８号公報
【特許文献３】実開平４−５７１２３号公報
【発明の開示】
【発明が解決しようとする課題】
【０００４】
しかしながら、ドレンパンの水受け部の樹脂に薬剤を練りこむ場合、樹脂に対する薬剤の重量比が高いと強度が低下したり、薬剤が溶出した後に水漏れしたりする恐れがあった。そのため、薬剤の樹脂に対する重量比が小さく抑えられるため寿命が短かった。
【０００５】
また、塗布する場合、効果を高めるため、多量に塗布するには時間がかかり、多大なコストがかかる課題があった。
【０００６】
また、剥れなどの品質面での課題があった。
【０００７】
また、これらは効果が無くなったときにはドレンパンを交換しなければならず、不要品の廃却には環境面への影響も大きい。
【０００８】
この発明は、上記のような課題を解決するためになされたもので、ドレンパンに菌やカビの繁殖を抑制する薬剤を練りこんだ樹脂成形品を着脱自在に設けることにより、ドレンパン内の菌の繁殖を抑え、ドレンポンプの詰りを解消し、清潔な空気調和機を提供する。
【課題を解決するための手段】
【０００９】
この発明に係る空気調和機は、熱交換器と、熱交換器から発生する凝縮水を受けるドレンパンと、ドレンパンに溜まったドレン水を排出するドレンポンプとを備えた空気調和機において、
前記ドレンパンは、前記ドレンポンプの下方にドレン排水口が形成されたドレンソケットを有し、
母材に抗菌成分を所定の重量比で練り込んだ抗菌剤含有成形品を、前記ドレンポンプに近接して、前記ドレンソケットに着脱自在に取り付けたことを特徴とする。
【発明の効果】
【００１０】
この発明に係る空気調和機は、母材に抗菌成分を所定の重量比で練り込んだ抗菌剤含有成形品を、ドレンポンプに近接して、ドレンソケットに着脱自在に取り付けたことにより、ドレンパンの強度低下や水漏れの心配がなく、抗菌成分の重量比を増やせるので、抗菌剤含有成形品の寿命を延ばすことができる。また、抗菌剤含有成形品の交換を容易に行うことができる。
【発明を実施するための最良の形態】
【００１１】
実施の形態１．
先ず、本実施の形態における空気調和機の定義を説明する。本実施の形態における空気調和機は、熱交換器と、熱交換器から発生する凝縮水を受けるドレンパンと、ドレンパンに溜まったドレン水を排出するドレンポンプとを備えた空気調和機である。具体的には、天井埋込型空気調和機（化粧パネルを有し該化粧パネルが室内に露出するタイプ、本体全体が天井裏に設置されるタイプがある）、オプションとしてドレンポンプが取り付けられる天吊型空気調和機及び壁掛け型空気調和機等である。
【００１２】
本実施の形態では、天井埋込型空気調和機（化粧パネルを有し該化粧パネルが室内に露出するタイプ）を例に以下の説明を行う。但し、天井埋込型空気調和機はあくまでも一例であり、これに限定されるものではない。
【００１３】
図１乃至図１０は実施の形態１を示す図で、図１は天井埋込型空気調和機１００（室内機）を部屋４５の天井に取り付けた状態を部屋４５から見た斜視図、図２は天井埋込型空気調和機１００の横断面図、図３は天井埋込型空気調和機１００の縦断面図、図４はドレンポンプ４付近の縦断面図、図５は抗菌剤含有成形品１を示す図（（ａ）は平面図、（ｂ）は正面図、（ｃ）は側面図）、図６は抗菌剤含有成形品１を示す斜視図、図７は抗菌剤含有成形品１をドレンソケット２に取り付けた状態を示す平面図、図８は図７のＺ−Ｚ断面図、図９は図７のＹ−Ｙ断面図、図１０は抗菌剤含有成形品１をドレンソケット２に取り付ける直前の状態を示す斜視図である。
【００１４】
図１に示すように、天井埋込型空気調和機１００（室内機）は、部屋４５の天井に、天井埋込型空気調和機１００の下部に設けられた略四角形状の化粧パネル４７が見える状態で埋設されている。化粧パネル４７の中央付近には天井埋込型空気調和機１００への空気の吸込口へ連通する略四角形のグリル３８（吸込口）と、筐体２０の各辺（四辺）に沿って形成された本体吹出口４０（図３参照）と連通する吹出口４８（四個）を有し、さらに各吹出口４８には吹き出し風の風向を制御するベーン４９を備える。
【００１５】
図２に示すように、筐体２０も化粧パネル４７と同様断面形状が略四角形である。筐体２０の各辺（四辺）に沿って本体吹出口４０が形成されている。筐体２０の略中央部に送風機３０（遠心送風機）が設置される。送風機３０を囲むように略環状に熱交換器７（略Ｃ字形状）が配置される。
【００１６】
また、断面形状が略四角形の筐体２０の一隅にドレンポンプ４が配置される。ドレンポンプ４は、熱交換器７から発生する凝縮水を受けるドレンパン５に溜まったドレン水を筐体２０外へ排出する。
【００１７】
図３に示すように、筐体２０内の略中央部に、下側を吸込口とするファン３０ａ（ターボファン）と、このファン３０ａを駆動するファンモータ３０ｂとを備える送風機３０（遠心送風機）が配置される。
【００１８】
ファンモータ３０ｂが、筐体２０の天面側に取り付けられているとともに、ファン３０ａの下部に、ファン３０ａへ空気を導入するためのベルマウス５０が配置されている。
【００１９】
また、ファン３０ａを囲むように略環状に熱交換器７（略Ｃ字形状）が配置され、熱交換器７の下部にドレンパン５が設置されている。熱交換器７は、図示しない室外機の冷媒を圧縮する圧縮機等とともに冷凍サイクルを構成する。熱交換器７では、ファン３０ａによりグリル３８から吸い込まれる室内の空気と冷凍サイクルの冷媒とが熱交換を行い冷風又は温風を生成する。
【００２０】
ドレンパン５の各辺に沿う外側には、熱交換器７の２次側と室内とを連通させる本体吹出口４０があり、化粧パネル４７の吹出口４８と連通している。
【００２１】
吹出口４８にはベーン４９が取り付けられ、熱交換器７で生成された冷風又は温風空気の吹出方向の調整が可能となっている。ベーン４９の形状は、吹出口４８と略同形状であり、ベーン４９が閉じた状態で吹出口４８を略塞ぐ意匠性を考慮した設計になっている。
【００２２】
化粧パネル４７の略中央の開口部に、略四角形のグリル３８が取り付けられている。グリル３８は、例えば爪等により化粧パネル４７に係合している。
【００２３】
図４はドレンポンプ４付近の縦断面図である。本実施の形態は、ドレンパン５に、熱交換器７に凝縮された水分がドレン水６（以下、単に水という場合もある）となってドレンパン５に貯留されるが、このドレン水６に浸漬するように、細菌やカビの繁殖を抑制する薬剤（抗菌剤）を練りこんだ抗菌剤含有成形品１を設置している点に特徴がある。
【００２４】
熱交換器７の下方に設置されるドレンパン５の材質は、発泡スチロールで、表面にＡＢＳ樹脂からなるスキン層５ａが一体成形されている。スキン層５ａの厚さは、略０．５ｍｍ程度である。
【００２５】
ドレンパン５の材質を発泡スチロールにする理由は、以下のとおりである。ドレンパン５の上方に熱交換器７があり、例えば、天井埋込型空気調和機１００の冷房運転時には、熱交換器７の温度が室内空気よりも低くなり、ドレンパン５も熱交換器７からの伝熱等により冷却される。従って結露を抑制するために断熱する必要があり、材質を発泡スチロールにしている。
【００２６】
発泡スチロールの表面にＡＢＳ樹脂からなるスキン層５ａを一体成形する理由は、以下のとおりである。発泡スチロールは、断熱性はあるが、ドレン水６が漏れる欠点がある。そこで、ドレンパン５からドレン水６が漏れないようにするために、表面にＡＢＳ樹脂からなるスキン層５ａを一体成形する。
【００２７】
ドレンパン５のドレンポンプ４の略真下の部分（ドレンパン５の最深部）には、ドレンポンプ４故障時に使用するドレン排水口２ａが開けられたポリフェニレンオキサイド樹脂からなるドレンソケット２（別部品）がドレンパン５にインサート成形されている。ドレンソケット２のドレン排水口２ａは、ドレンポンプ４が正常であれば不要なため、常時はドレンプラグ３で塞がれている。
【００２８】
ドレンソケット２の材質をポリフェニレンオキサイド樹脂にする理由は、以下のとおりである。ドレンソケット２の部分をスキン層５ａと同じＡＢＳ樹脂で成形すると、耐熱性が不足するためドレン排水口２ａの部分の精度が十分ではない。そのため、ドレンプラグ３で塞いでもドレン水６が漏れる恐れがある。そこで、ドレンソケット２の材質は、発泡スチロールより耐熱性があるポリフェニレンオキサイド樹脂とする。
【００２９】
但し、将来発泡スチロールの成形技術が改良されれば、ドレンソケット２の部分も耐熱性の低いＡＢＳ樹脂などで一体に形成することも可能である。
【００３０】
抗菌剤含有成形品１は、ドレンポンプ４の近傍で、ドレンソケット２に着脱自在に取り付けられる。その構成は、後述する。図４の符号（１ｂ、１ｃ、２ｃ、２ｄ）については、追って説明する。
【００３１】
抗菌剤含有成形品１は、ドレンポンプ４の停止中にドレン水６に略全体がほぼ漬かるようになっている。ドレンポンプ４の運転中は、抗菌剤含有成形品１の一部がドレン水６に漬かるようになっている。この点についても、追って詳述する。
【００３２】
次に、抗菌剤含有成形品１の構成を、図５、図６を参照しながら説明する。
【００３３】
抗菌剤含有成形品１は、抗菌成分であるＰＨＭＧ（ポリヘキサメチルグアニジンリン酸塩）を母材であるＰＥ（ポリエチレン）に練り込んだものである。抗菌成分であるＰＨＭＧの母材のＰＥに対する重量比は、５％〜２０％が適する。抗菌成分としてはＰＨＭＧをはじめとする有機系のものや、銀をはじめとする無機系のものがあり、菌の繁殖を抑えるものであれば、ＰＨＭＧに限らない。
【００３４】
抗菌剤含有成形品１は、ドレンパン５とは別部品であるから抗菌成分が溶出して機械的強度が低下しても構わない。従って、上記のように抗菌成分の濃度を高くすることがでる。
【００３５】
図５、図６に示すように、抗菌剤含有成形品１は、平面視で、一辺が約５０ｍｍ程度の略四角形である（図５（ａ））。板状の基台１ｅの上にフィン形状部１ａが多数立設している。フィン形状部１ａは基台１ｅから略垂直に立設している。但し、垂直でなくてもよく、斜めに立設しているものでもよい。フィン形状部１ａは、基台１ｅの略全域に配設されている。フィン形状部１ａの横断面（基台１ｅに平行）は、長方形や丸形等でよく、形状は問わない。
【００３６】
フィン形状部１ａの高さは、略１０ｍｍ程度である。また、フィン形状部１ａの厚さは、１〜４ｍｍ程度である。さらに、隣接するフィン形状部１ａ間の隙間は、１〜４ｍｍ程度である。
【００３７】
フィン形状部１ａが多数立設する理由は、表面積を大きくして、容積を小さくするためである。
【００３８】
ドレン水６に浸漬した抗菌剤含有成形品１から徐々に抗菌剤が溶出する。溶出した抗菌剤がドレン水６内に拡散し、細菌やカビの繁殖を抑制する。抗菌剤は抗菌剤含有成形品１の表面から溶出するので、フィン形状部１ａを設けることで、抗菌剤含有成形品１の面積を大きくし、容積としては小型化することができる。
【００３９】
抗菌剤含有成形品１は、図４で示したように、ドレンポンプ４に近接して設けられる。それは、ドレンポンプ４の吸込口４ａから吸い込まれるドレン水６を、できるだけ菌数の少ない水にしたいからである。
【００４０】
ドレンポンプ４を停止すると、ドレンパン５のドレン水６の水位はドレンポンプ４の運転中よりも高くなる。それは、ドレンポンプ４に接続しているドレン配管（図示せず）の立ち上がり部分の水は、ドレンポンプ４を停止するとドレンポンプ４を逆流してドレンパン５に戻るからである。ドレンポンプ４は、そのような構成になっている。例えば、ドレンポンプ４を停止すると、空調機の設置状況によるが、約２００ｃｃ〜約１０００ｃｃ程度の水が、ドレン配管の立ち上がり部分からドレンポンプ４を逆流してドレンパン５に戻る。
【００４１】
そのため、既に述べたように、ドレンポンプ４を停止すると、抗菌剤含有成形品１はドレン水６に略全体がほぼ漬かるようになる。
【００４２】
抗菌剤含有成形品１から溶出する抗菌剤は、どうしても抗菌剤含有成形品１付近の濃度は高いが、遠いところが低くなり、効果が小さくなる。しかし、ドレンポンプ４を運転すると、ドレン水６がドレン配管内に送り込まれ、抗菌剤が攪拌される。ドレンポンプ４を停止すると、抗菌剤とよく混ざったドレン水６がドレンパン５に戻り、濃度が均一に近くなり、抗菌効果が高まる。濃度を均一に保つと、抗菌剤の量も減らすことができる。
【００４３】
ドレンポンプ４を運転すると、ドレン水６がドレン配管内に送り込まれて抗菌剤が攪拌され、ドレンポンプ４を停止すると抗菌剤とよく混ざったドレン水６がドレンパン５に戻り、抗菌効果が高まることを利用して、以下のような制御を行う方法もある。
【００４４】
天井埋込型空気調和機１００の冷房運転が停止すると、ドレンポンプ４も停止するが、冷房運転停止後の所定時間経過後に、ドレンポンプ４を所定時間運転して抗菌剤含有成形品１から溶出する抗菌剤を含むドレン水６をドレン配管内に送り込み、その後ドレンポンプ４を停止する。ドレンポンプ４を停止すると抗菌剤とよく混ざったドレン水６がドレンパン５に戻り、ドレン水６中の抗菌剤の濃度が高まると共に、均一になる。
【００４５】
以上の制御は、動作プログラムが組み込まれたマイクロコンピュータ（制御部）が行う。制御部は、天井埋込型空気調和機１００の運転の制御を司る。
【００４６】
ここで、ドレンポンプ４の運転方法について説明しておく。ドレンポンプ４は、天井埋込型空気調和機１００の冷房運転中は連続して運転する。天井埋込型空気調和機１００の冷房運転が停止すると、ドレンポンプ４も停止する。また、天井埋込型空気調和機１００の暖房運転中は、ドレンポンプ４は停止している。暖房運転時は、熱交換器７が凝縮器となりドレン水６が発生しないからである。
【００４７】
天井埋込型空気調和機１００の冷房運転中は、冷凍サイクルの圧縮機が停止しても（温調の動作等により）、ドレンポンプ４を停止させない。
【００４８】
天井埋込型空気調和機１００の冷房運転中に発生するドレン水６はドレンパン５に落下して、ドレンポンプ４で筐体２０外へ排出される。このときのドレン水６は、温度も低く（約１０℃程度）細菌は繁殖しにくい。
【００４９】
天井埋込型空気調和機１００の冷房運転が停止するとドレンポンプ４も停止するため、ドレンポンプ４に接続しているドレン配管の立ち上がり部分の水がドレンポンプ４を逆流してドレンパン５に戻るため、ドレンパン５中のドレン水６の水位が上がるとともに温度も高くなる。ドレンパン５中のドレン水６の温度は、周囲の温度に近づく。夏場であれば、２０〜３０℃程度までドレン水６の温度が上がる。この２０〜３０℃の温度は、細菌の繁殖に適した温度である。
【００５０】
抗菌剤含有成形品１は、ドレンポンプ４の停止中は略全体がドレン水６に漬かり、ドレンポンプ４の運転中は抗菌剤含有成形品１の一部がドレン水６に漬かるようにしている。天井埋込型空気調和機１００の冷房運転中に発生するドレン水６は、温度も低く（約１０℃程度）細菌は繁殖しにくいため、抗菌剤含有成形品１の一部がドレン水６に漬かるだけで十分である。細菌が繁殖しやすいドレンポンプ４の停止中は、抗菌剤含有成形品１は略全体がドレン水６に漬かり、ドレンポンプ４の運転中は抗菌剤含有成形品１の一部がドレン水６に漬かるようにすることにより、抗菌剤含有成形品１の寿命を長くすることができる。
【００５１】
従って、夏場の天井埋込型空気調和機１００の停止中（通常は夜間）に、ドレン水６中に細菌が繁殖する。例えば、昼間を中心として１０時間運転し、残りの１４時間は停止する。
【００５２】
この１４時間の停止中に細菌が繁殖したドレン水６を、次の天井埋込型空気調和機１００の冷房運転開始時にドレンポンプ４が吸い込むと、ドレンポンプ４を詰まらせる可能性がある。
【００５３】
そこで、抗菌剤含有成形品１をドレンパン５に設置して、ドレン水６中の細菌の繁殖を抑制するが、抗菌剤含有成形品１を設置するドレンパン５中での位置は、ドレンポンプ４の近くが好ましい。ドレンポンプ４が、できるだけ細菌の少ないドレン水６を吸い込むようにしたいからである。ドレンポンプ４から、離れた位置に抗菌剤含有成形品１を設置すると、ドレンポンプ４近傍のドレン水６中の細菌は繁殖が抑制されていない恐れがある。
【００５４】
抗菌剤含有成形品１をできるだけドレンポンプ４に近づけて設置するために、図５（ａ）（図７も参照）に示すように、抗菌剤含有成形品１の基台１ｅのドレンポンプ４側の一辺に、内側に凹む逃がし部１ｆを形成している。この内側に凹む逃がし部１ｆを設けることにより、その分抗菌剤含有成形品１をドレンポンプ４に近づけて設置することができる。
【００５５】
内側に凹む逃がし部１ｆの形状は、図５（ａ）のような円弧形状が好ましいが、他の形状（例えば、四角形、台形、三角形等）でもよい。
【００５６】
抗菌剤含有成形品１は、内側に凹む逃がし部１ｆの反対側に、基台１ｅに略平行に外側に延びる把手部１ｂを備える。抗菌剤含有成形品１が寿命になり交換する場合、寿命となった抗菌剤含有成形品１をドレンソケット２から外す必要があるが、そのときに把手部１ｂが利用される。抗菌剤含有成形品１とドレンソケット２との係合については後述する。
【００５７】
このように、抗菌剤含有成形品１は、内側に凹む逃がし部１ｆと、逃がし部１ｆの反対側に基台１ｅに略平行に外側に延びる把手部１ｂとを備える。そのため、図７のＺ−Ｚ線付近の抗菌剤含有成形品１には、フィン形状部１ａがないか、又はフィン形状部１ａの間になるため、ドレンポンプ４へのドレン水６の流れが良くなる。
【００５８】
ドレンポンプ４の流量は約６００ｃｃ／分であり、ドレン水６の流速は余り早くない。従って、上記のように抗菌剤含有成形品１にドレン水６の流れが良くなる部分があると、ドレンポンプ４へのドレン水６の流れが改善される。
【００５９】
抗菌剤含有成形品１の把手部１ｂの下方に、把手部１ｂに連なるように基台１ｅに対して垂直な方向に突出部１ｃが形成されている（図４参照）。この突出部１ｃは、抗菌剤含有成形品１をドレンソケット２に取り付けるときに利用される。
【００６０】
抗菌剤含有成形品１の基台１ｅの逃がし部１ｆと把手部１ｂとが形成された二辺に直交する他の二辺に、抗菌剤含有成形品１をドレンソケット２に取り付けるときに、利用される面取り部１ｄが形成されている。
【００６１】
次に、図７乃至図１０を参照しながら抗菌剤含有成形品１とドレンソケット２との係合について説明する。
【００６２】
ドレンソケット２には、既に述べたようにドレンポンプ４故障時に使用するドレン排水口２ａが形成されている。
【００６３】
ドレンソケット２には、抗菌剤含有成形品１をドレンソケット２に取り付ける際に、抗菌剤含有成形品１の基台１ｅの面取り部１ｄが挿入され、基台１ｅの対向する二辺（逃がし部１ｆと把手部１ｂとが形成された二辺に直交する他の二辺）を押さえる押え部２ｂが、ドレンソケット２のフランジ部２ｄの対向する二辺に形成されている。
【００６４】
ドレンソケット２には、抗菌剤含有成形品１をドレンソケット２に取り付ける際の最終段階において、抗菌剤含有成形品１の突出部１ｃが当接しながら乗り越える係合片２ｃがドレンソケット２のフランジ部２ｄの一辺（抗菌剤含有成形品１をドレンソケット２に取り付ける際に、抗菌剤含有成形品１の把手部１ｂと対向する辺）に平行に、且つその内側に所定の間隔をあけて形成されている。
【００６５】
抗菌剤含有成形品１は、突出部１ｃがドレンソケット２の係合片２ｃを乗り越えて、係合片２ｃとフランジ部２ｄとの間に納まることでドレンソケット２への取付が完了する。
【００６６】
この状態で、抗菌剤含有成形品１の上下方向はドレンソケット２の一対の押え部２ｂと板状部２ｅ（図１０参照）とで位置決めされている。
【００６７】
また、抗菌剤含有成形品１の図７のＺ−Ｚ方向は、突出部１ｃが係合片２ｃとフランジ部２ｄとで位置決めされる。
【００６８】
また、抗菌剤含有成形品１の図７のＹ−Ｙ方向は、抗菌剤含有成形品１の基台１ｅの対向する二辺（逃がし部１ｆと把手部１ｂとが形成された二辺に直交する他の二辺）が、ドレンソケット２の一対の押え部２ｂが形成された対向するフランジ部２ｄの二辺により位置決めされる。
【００６９】
以上のようにして、抗菌剤含有成形品１はドレンソケット２に固定される。
【００７０】
抗菌剤含有成形品１が寿命になり交換する場合の抗菌剤含有成形品１のドレンソケット２からの取り外し方法は、以下のとおりである。即ち、図８の状態で、抗菌剤含有成形品１の把手部１ｂを上に持ち上げる。そして、ドレンソケット２の係合片２ｃを抗菌剤含有成形品１の突出部１ｃが、取付時とは逆方向に乗り越えるように係合片２ｃとフランジ部２ｄとの間から外す。
【００７１】
続いて、抗菌剤含有成形品１をドレンソケット２の係合片２ｃの反対方向に移動させて、一対の押え部２ｂから外せば、抗菌剤含有成形品１をドレンソケット２から取り外すことができる。
【００７２】
従って、抗菌剤含有成形品１の交換作業を容易に行うことができる。
【００７３】
尚、抗菌剤含有成形品１の寿命の判断は、例えば、抗菌剤に水溶性の色素を混ぜておく方法がある。ドレン水６に色が無くなる事で抗菌剤含有成形品１の寿命（交換時期）を知らせることができる。
【００７４】
尚、抗菌剤含有成形品１の交換は、ドレンパン５を筐体２０から外して行う。
【００７５】
以上のように、この実施の形態によれば、抗菌成分であるＰＨＭＧ（ポリヘキサメチルグアニジンリン酸塩）を母材であるＰＥ（ポリエチレン）に練り込んだ抗菌剤含有成形品１をドレンポンプ４の近傍に設置することにより、ドレンポンプ４の停止中にドレンポンプ４付近のドレン水６に細菌が繁殖するのを抑制することができ、ドレンポンプ４の運転時に吸い込むドレン水６は菌数の少ない水のため、ドレンポンプ４の詰まりを抑制することができる。
【００７６】
また、抗菌剤含有成形品１は、ドレンパン５とは別部品であるから抗菌成分が溶出して機械的強度が低下しても構わないので、抗菌成分の濃度を高くすることがでる。
【００７７】
また、抗菌剤含有成形品１は、板状の基台１ｅの上にフィン形状部１ａが多数立設していることにより、抗菌剤含有成形品１の表面積を大きくし、容積としては小型化することができる。
【００７８】
また、細菌が繁殖しやすいドレンポンプ４の停止中は、抗菌剤含有成形品１は略全体がドレン水６に漬かり、ドレンポンプ４の運転中は抗菌剤含有成形品１の一部がドレン水６に漬かるようにすることにより、抗菌剤含有成形品１の寿命を長くすることができる。
【００７９】
また、ドレンパン５のドレンポンプ４の略真下の部分に、ドレンポンプ４故障時に使用するドレン排水口２ａが開けられたドレンソケット２がドレンパン５にインサート成形されているが、このドレンソケット２に抗菌剤含有成形品１を着脱自在に取り付けることにより、必要に応じて抗菌剤含有成形品１のドレンパン５への取付・取り外しを容易に行うことができる。
【００８０】
また、抗菌剤含有成形品１の基台１ｅのドレンポンプ４側の一辺に、内側に凹む逃がし部１ｆを設けることにより、その分抗菌剤含有成形品１をドレンポンプ４に近づけて設置することができる。
【００８１】
また、抗菌剤含有成形品１は、内側に凹む逃がし部１ｆと、逃がし部１ｆの反対側に基台１ｅに略平行に外側に延びる把手部１ｂとを備えるため、図７のＺ−Ｚ線付近の抗菌剤含有成形品１には、フィン形状部１ａがないか、又はフィン形状部１ａの間になるため、ドレンポンプ４へのドレン水６の流れが良くなる。
【００８２】
また、抗菌剤含有成形品１の抗菌剤に水溶性の色素を混ぜておくことにより、ドレン水６に色が無くなる事で抗菌剤含有成形品１の寿命（交換時期）を知らせることができる。
【００８３】
また、天井埋込型空気調和機１００の冷房運転停止後の所定時間経過後に、ドレンポンプ４を所定時間運転して抗菌剤含有成形品１から溶出する抗菌剤を含むドレン水６をドレン配管内に送り込み、その後ドレンポンプ４を停止することにより、抗菌剤とよく混ざったドレン水６がドレンパン５に戻り、ドレン水６中の抗菌剤の濃度が高まると共に、均一にできる。
【図面の簡単な説明】
【００８４】
【図１】実施の形態１を示す図で、天井埋込型空気調和機１００（室内機）を部屋４５の天井に取り付けた状態を部屋４５から見た斜視図。
【図２】実施の形態１を示す図で、天井埋込型空気調和機１００の横断面図。
【図３】実施の形態１を示す図で、天井埋込型空気調和機１００の縦断面図。
【図４】実施の形態１を示す図で、ドレンポンプ４付近の縦断面図。
【図５】実施の形態１を示す図で、抗菌剤含有成形品１を示す図（（ａ）は平面図、（ｂ）は正面図、（ｃ）は側面図）。
【図６】実施の形態１を示す図で、抗菌剤含有成形品１を示す斜視図。
【図７】実施の形態１を示す図で、抗菌剤含有成形品１をドレンソケット２に取り付けた状態を示す平面図。
【図８】実施の形態１を示す図で、図７のＺ−Ｚ断面図。
【図９】実施の形態１を示す図で、図７のＹ−Ｙ断面図。
【図１０】実施の形態１を示す図で、抗菌剤含有成形品１をドレンソケット２に取り付ける直前の状態を示す斜視図。
【符号の説明】
【００８５】
１  抗菌剤含有成形品、１ａ  フィン形状部、１ｂ  把手部、１ｃ  突出部、１ｄ  面取り部、１ｅ  基台、１ｆ  逃がし部、２  ドレンソケット、２ａ  ドレン排水口、２ｂ  押え部、２ｃ  係合片、２ｄ  フランジ部、２ｅ  板状部、３  ドレンプラグ、４  ドレンポンプ、４ａ  吸込口、５  ドレンパン、５ａ  スキン層、６  ドレン水、３０  送風機、３０ａ  ファン、３０ｂ  ファンモータ、３８  グリル、４０  本体吹出口、４５  部屋、４７  化粧パネル、４８  吹出口、４９  ベーン、５０  ベルマウス、１００  天井埋込型空気調和機。
【図１】
2010014294.tif 000003
【図２】
2010014294.tif 000004
【図３】
2010014294.tif 000005
【図４】
2010014294.tif 000006
【図５】
2010014294.tif 000007
【図６】
2010014294.tif 000008
【図７】
2010014294.tif 000009
【図８】
2010014294.tif 000010
【図９】
2010014294.tif 000011
【図１０】
2010014294.tif 000012